(57)【要約】      （修正有）【課題】トルマリン鉱石・黒曜石のマイナスイオン及び遠赤外線は、身体に良い電磁波を発生出来る鉱石特有イオンが効率よく、多量に発生させて優れた健康と美容を発揮させるシャワー水作成装置を提供する。【解決手段】水道水の圧力を有効にエネルギーとして使用し、一般に市販されている受水槽を利用し（受水槽用のモーター）始動は水を使用するとモーターが稼働する装置になっている、今回の開発の水中ポンプは上記のモーター配線と結合する事により、水を使用すると水中ポンプが稼働しイオンが発生出来るので合理的な方法の考案である。常に受水槽に多量の水が黒曜石を使っているので水が腐食しないため地震災害の時の飲料水に活躍できる。【選択図】なし【特許請求の範囲】
【発明の詳細な説明】
【技術分野】
【０００１】  本発明は（トルマリン鉱石・黒曜石・麦飯石・北投石・マイナスイオン発生生成材等）に水道の圧力、又はポンプ等で送入水圧を利用しマイナスイオン水を作成する装置。
【背景技術】
【０００２】  近年、トルマリン鉱石、黒曜石、ラジウム鉱石、麦飯石、北投石、等のマイナスイオン、遠赤外線を発生し易い物質（マイナスイオン、遠赤外線生成材）を用いる種々の装置が開発されて有りますが鉱石の量が小量で水圧が少ないため、シャワーとして使用する事が不可能である。
【発明の開示】
【発明が解決しようとする課題】
【０００３】  本発明はこのような従来の問題点に着目してなされたものであり、水道の水圧を利用し、大型水槽タンクの中に、トルマリン鉱石・黒曜石・イオン生成材等を水道パイプに無数に穴を開け水道の圧力で鉱石に衝撃を与えてマイナスイオン等が発生する。
【課題を解決するための手段】
【０００４】  上記目的を達成するために、本発明により塩素の含まれた水道水、又人体に与える有害水等を自動的にマイナスイオン等を発生させて身体に良い水に変えて温泉・風呂・サウナ関係等のミストシャワー水を自動的に多量に作成する。【０００５】  貯水槽タンク中に、（１例）トルマリン鉱石と黒曜石を搬入できる容器（カゴ）又は大筒の外周に無数の穴を開け、その容器の中に無数に穴を開けた送入水道管を配置する。其の水道管を中心にトルマリン鉱石と黒曜石を搬入して水道水の水圧で鉱石に衝撃を加えるとマイナスイオン等が発生する。【０００６】  上記の水槽タンクの中に（１例）同穴開け水道管と平行に循環水中ポンプからの配管に無数の穴を開けたパイプを鉱石の中に引き込み水中ポンプの水圧で鉱石に協力の水圧を加える事により・マイナスイオン水が出来る。
荻原大が提出日平成１７年４月１８日整理番号・Ｐ０５０Ｈ０１  特願２００５−１１９６８４図６と同様の装置を応用した物である。【０００７】  スッテンレスメッシュ筋４（容器）又は、太い筒の外周に穴開け加工した（容器）マイナスイオン生成鉱石を投入し、（容器）の中心部に水道水管に無数の８穴を開け設置、水道水圧を利用し噴出し鉱石に衝撃を加えてマイナスイオン及び遠赤外線等を発生させる。【０００８】  受水槽タンクの中に３水中ポンプを設置し、２のパイプ配管に７無数の穴を開け受水槽容器の水を３水中ポンプで１４の方向で送水する事により、７の穴からイオン生成鉱石に衝撃を加えるとマイナスイオン・遠赤外線等が発生する。【０００９】  水中ポンプの配線は１１のモーターと接続する事により、水道蛇口又は、シャワーを使用すると電源が同時に稼働して、受水槽タンク中３水中ポンプが稼働して、水が循環される装置である。
【発明の効果】
【００１０】  トルマリン鉱石は人体に効能効果がある薬石として世間で数多くの方法で使用されている鉱石である。特にトルマリン鉱石を飲料水に多く使用されている。【００１１】  黒曜石は昔から健康水として黒曜石を色々な方法で加工されて使用している。【００１２】  今回の開発により、多量のトルマリン鉱石と黒曜石をミックスし水槽の中で水道水圧力と循環水中ポンプ圧力で鉱石に衝撃加えた事により、イオン粒子が水滴化して家庭用・ホテル用風呂・岩盤浴サウナシャワー等に多く使用実験テストを行い人体に数多くの利点を得た。
【発明を実施するための最良の形態】
【００１３】  図１を図２の一般に市販されて居る受水槽タンクに簡単に設置が出来る。
水道メーター機の配管に接続する事により水道水の塩素消毒が解消されて健康水として使用できる。体験の結果美味しい飲料水となった。
黒曜石を使用した貯水タンクの水を長野県和田峠（株）芙蓉パーライト会社では１０年間黒曜石を水に使用した実験を行い１０年前の水が現在飲料水としても使用しても良い事が研究の結果わかり保存可能のため実験が現在も継続されている。
日本は地震対策として色々と研究されているが一番人間に必要な物は、空気と水です、今回の開発により普段は生活用水として使用が出来る、又、地震が発生して断水に成った時は保存飲料水に使用できる。【００１４】  ミストシャワーとして岩盤浴に使用した結果、健康に良く女性の美肌効果は特に良く、荻原大が平成１７年７月１７日提出・整理番号・Ｐ０４０Ｈ０１・識別番号０００１２３３０９特願２００５−２３００５１の方法で体験場を作製し実証ができた。【００１５】  使用する黒曜石は産地として有名な長野県和田峠産であり、その成分含有率の一例を表１に示す。【００１６】
【表１】
2007216202.tif 000002
【表２】
2007216202.tif 000003
2007216202.tif 000004
【図面の簡単な説明】
【００１７】
【図１】本発明を適用したマイナスイオン水発生装置の受水槽の断面図である。
【図２】一般に市販されて居る受水槽に本発明器具を設置した図である。
【符号の説明】
【００１８】１．    水道水パイプ
２．    循環水中ポンプパイプ
３．    水中ポンプ
４．    スッテンレスメッシュ籠
５．    黒曜石
６．    トルマリン鉱石
７．    循環水中ポンプ噴出し穴
８．    水道水噴出し穴
９．    メッシュ筋籠をＶＰ塩ビパイプに作成した方法
１０．  受水槽タンクの蓋
１１．  送水モーター装置
１２．  受水槽タンク
１３．  鉱石搬入蓋
１４．  循環水の流れ方向
１５．  水道水の流れ方向
【図１】
2007216202.tif 000005
【図２】
2007216202.tif 000006
【手続補正書】
【提出日】平成18年4月11日(2006.4.11)
【手続補正１】
【補正対象書類名】特許請求の範囲
【補正対象項目名】全文
【補正方法】変更
【補正の内容】
【特許請求の範囲】
【請求項１】
受水槽タンクに飲料水、又は、水道水を蓄積し水槽タンク内水をマイナスイオン生成材鉱石、一例、（トルマリン鉱石・黒曜石・麦飯石・北投石・ラジウムその他マイナスイオン発生生成材等）に水道水圧力、又は、受水槽タンクに外・内にポンプ水圧で鉱石に衝撃を加えてマイナスイオン発生させる装置。
【請求項２】
マイナスイオン発生生成材鉱石をタンクの中に蓄積して水道水圧力水道管のパイプに無数の穴を開けて鉱石に噴出しながら衝撃圧力を加えてイオンを発生させる。又、受水槽タンク内に水中ポンプを設置し、水を使用すると、受水槽モーターが始動し水が送水される。其の受水槽タンクモーター電源と水中モーター電源を連結する事により、水中ポンプモーターが稼働する。水中ポンプ配管に無数の穴を開けて其の穴から送水圧力がマイナスイオン生成材鉱石に衝撃が加わりマイナスイオンが発生し、イオン水となる。
【請求項３】
トルマリン鉱石と黒曜石に水圧を加えるとマイナスイオン・遠赤外線・電磁波が発生する事により、水道水の塩素が分解し美味しい真水となり飲料水となる。
【請求項４】
請求項１、２、３、記載のマイナスイオン水を風呂・岩盤浴・シャワー水・飲料水に使用する事により・優れた美容と健康に最適である。
諏訪市芙蓉パーライト会社と当社で１０年前より現在に至るまで実験研究の結果飲料水に１０年前の水が使用できる事が確認出来・今後日本の地震災害に飲料水に活用できる。